(57)【要約】  様々なシステム、器具及び工程が眼内レンズ手術のために使用される。特定の実施例では、眼内レンズ手術のためのシステムは、眼内レンズ挿入カートリッジと、眼内レンズ挿入カートリッジを通して眼内レンズを前進させるために眼内レンズと係合するようになっている眼内レンズインタフェースとを含む。システムは、眼内レンズ挿入カートリッジに取外し可能に取り付けられたブラケットであって、眼内レンズ挿入カートリッジに対して眼内レンズインタフェースを繋止することを容易にするブラケットも含む。
2014531287.tif 000002
【特許請求の範囲】
【請求項１】
眼内レンズ挿入カートリッジと、
前記眼内レンズ挿入カートリッジを通して眼内レンズを前進させるために眼内レンズと係合するようになっている眼内レンズインタフェースと、
前記眼内レンズ挿入カートリッジに取外し可能に取り付けられたブラケットであって、前記眼内レンズ挿入カートリッジに対して前記眼内レンズインタフェースを繋止することを容易にするブラケットと
を具備する、システム。
【請求項２】
前記ブラケットが前記眼内レンズインタフェースの少なくとも一部を繋止するために該ブラケットと前記眼内レンズ挿入カートリッジとの間に空洞を形成する、請求項１に記載のシステム。
【請求項３】
前記空洞が、前記眼内レンズインタフェースと前記ブラケットと前記眼内レンズ挿入カートリッジとの間の摩擦によって前記眼内レンズインタフェースを所定の位置に保持するような大きさで作られる、請求項２に記載のシステム。
【請求項４】
前記眼内レンズ挿入カートリッジが、前記空洞の一部を形成する突起を具備する、請求項２に記載のシステム。
【請求項５】
前記ブラケットは、前記眼内レンズインタフェースが、眼内レンズ挿入工具との係合の間、前記空洞を通って前進せしめられることを抑制する戻り止めを具備する、請求項１に記載のシステム。
【請求項６】
前記ブラケットが、摩擦嵌合によって前記眼内レンズ挿入カートリッジに取り付けられる、請求項１に記載のシステム。
【請求項７】
前記ブラケットが、先端が切られたＶ字形状の本体を具備し、該Ｖ字形状の本体が、前記眼内レンズ挿入カートリッジと係合する羽部を有する、請求項６に記載のシステム。
【請求項８】
前記Ｖ字形状の本体の先端が切られた部分が、前記眼内レンズインタフェースを繋止するための空洞の一部を形成する、請求項７に記載のシステム。
【請求項９】
器具であって、
眼内レンズ挿入カートリッジの一般的な外形に倣い且つ前記眼内レンズ挿入カートリッジに対して眼内レンズインタフェースを繋止することを容易にする形状を有する本体と、
当該器具を眼内レンズ挿入カートリッジに取外し可能に取り付けるようになっている少なくとも一つの係合構造と
を具備する、器具。
【請求項１０】
前記本体が前記眼内レンズインタフェースの少なくとも一部を繋止するために該本体と前記眼内レンズ挿入カートリッジとの間の空洞を形成するように成形される、請求項９に記載の器具。
【請求項１１】
前記ブラケットは、前記眼内レンズインタフェースが、眼内レンズ挿入工具との係合の間、前記空洞を通って前進せしめられることを抑制する戻り止めを具備する、請求項９に記載の器具。
【請求項１２】
前記係合構造が、前記眼内レンズ挿入カートリッジに取外し可能に取り付けられるように、前記眼内レンズ挿入カートリッジとの摩擦嵌合を形成するようになっている、請求項９に記載の器具。
【請求項１３】
前記本体が、先端が切られたＶ字形状の本体を具備し、該Ｖ字形状の本体が、前記眼内レンズ挿入カートリッジと係合する羽部を有する、請求項９に記載の器具。
【請求項１４】
前記Ｖ字形状の本体の先端が切られた部分が、前記眼内レンズインタフェースを繋止するための空洞の一部を形成する、請求項１３に記載の器具。
【請求項１５】
眼内レンズ挿入カートリッジと眼内レンズインタフェースと取外し可能なブラケットとを具備する組立体を位置的に固定するステップと、
前記組立体から前記眼内レンズインタフェースを取り除くステップと、
前記眼内レンズ挿入カートリッジから前記ブラケットを取り外すステップと
を含む、工程。
【請求項１６】
前記眼内レンズインタフェースを取り除くステップが、眼内レンズ挿入工具を前記眼内レンズインタフェースと係合させることを含む、請求項１５に記載の工程。
【請求項１７】
さらに、前記組立体から前記眼内レンズインタフェースを取り除くステップの前に、前記眼内レンズインタフェースを前記取外し可能なブラケットの戻り止めに対して前進させるステップを含む、請求項１５に記載の工程。
【請求項１８】
眼内レンズインタフェースを眼内レンズ挿入カートリッジに対して繋止することを容易にするブラケットに前記眼内レンズ挿入カートリッジを取外し可能に取り付けるステップと、
眼内レンズインタフェースを前記ブラケットに係合させるステップと
を含む、工程。
【請求項１９】
さらに、前記眼内レンズ挿入カートリッジを取外し可能に取り付けるステップの前に、前記ブラケットを位置的に固定するステップを含む、請求項１８に記載の工程。
【発明の詳細な説明】
【技術分野】
【０００１】
本開示は、視覚手術に関し、より具体的には患者の水晶体の置換のための手術に関する。
【背景技術】
【０００２】
人間の眼は、最も簡単な表現において、角膜と呼ばれる透明な外側部分を通して光を透過させ且つ屈折させて、水晶体によって眼の背面の網膜上に像を結像することによって視力を提供するように機能する。結像された像の質は、眼の大きさ、形状及び長さ、並びに角膜及び水晶体の形状及び透明度を含む多くの要因に依存する。
【０００３】
外傷、加齢又は病気によって水晶体の透明度が低下すると、網膜に透過されうる光が減少するので、視力が悪化する。眼の水晶体におけるこの欠陥は、医学的には白内障として知られている。この疾患についての治療法は、典型的には、手術で水晶体を取り除いて、眼内レンズ（ＩＯＬ）と称されることが多い人工的な水晶体を移植することである。
【発明の概要】
【０００４】
一つの一般的な実施例では、眼内レンズ（ＩＯＬ）手術のためのシステムは、ＩＯＬ挿入カートリッジと、ＩＯＬ挿入カートリッジを通してＩＯＬを前進させるためにＩＯＬレンズと係合するようになっているＩＯＬインタフェースとを含む。システムは、ＩＯＬ挿入カートリッジに取外し可能に取り付けられたブラケットであって、ＩＯＬ挿入カートリッジに対してＩＯＬインタフェースを繋止することを容易にするブラケットも含むことができる。
【０００５】
所定の実施例では、ブラケットはＩＯＬインタフェースの少なくとも一部を繋止するためにブラケットとＩＯＬ挿入カートリッジとの間に空洞を形成する。空洞は、例えば、ＩＯＬインタフェースとブラケットとＩＯＬ挿入カートリッジとの間の摩擦によってイＩＯＬンタフェースを所定の位置に保持するような大きさで作られる。ＩＯＬ挿入カートリッジは、空洞の一部を形成する突起も含むことができる。
【０００６】
特定の実施例では、ブラケットは、ＩＯＬ挿入工具との係合の間、ＩＯＬインタフェースが空洞を通って前進せしめられることを抑制する戻り止めを含む。さらに、戻り止めは、システムからＩＯＬインタフェースを取り除くことを支援すべく、ＩＯＬインタフェースにエネルギーを蓄えるために使用されてもよい。
【０００７】
ブラケットは、例えば、摩擦嵌合によってＩＯＬ挿入カートリッジに取り付けられる。所定の実施例では、例えば、ブラケットは先端が切られたＶ字形状の本体を含み、Ｖ字形状の本体は、ＩＯＬ挿入カートリッジと係合する羽部を有する。加えて、Ｖ字形状の本体の先端が切られた部分は、ＩＯＬインタフェースを繋止するための空洞の一部を形成することができる。
【０００８】
別の一般的な実施例では、ＩＯＬ手術システムを使用するための工程が、ＩＯＬ挿入カートリッジとＩＯＬインタフェースと取外し可能なブラケットとを含む組立体を位置的に固定するステップと、組立体からＩＯＬインタフェースを取り除くステップとを含む。工程は、ＩＯＬ挿入カートリッジからブラケットを取り外すステップも含むことができる。
【０００９】
追加的な一般的な実施例では、ＩＯＬ手術システムを作るための工程が、ＩＯＬインタフェースをＩＯＬ挿入カートリッジに対して繋止することを容易にするブラケットにＩＯＬ挿入カートリッジを取外し可能に取り付けるステップと、ＩＯＬインタフェースをブラケットに係合させるステップとを含む。
【００１０】
様々な実施例が一つ以上の特徴を含むことができる。例えば、ＩＯＬ手術のためのシステムは、ＩＯＬインタフェースがＩＯＬ挿入カートリッジと同一場所に配設されることを可能とし、このことは、比較的小さいことが多いＩＯＬインタフェースがなくなるのを防止することを補助する。別の例として、システムは、ＩＯＬインタフェースが、安定した態様で、ＩＯＬ挿入カートリッジに対して位置付けられることを可能とする。このため、典型的にはＩＯＬインタフェースよりもかなり大きく、ひいては（手又は工具によって）把持しやすいＩＯＬ挿入カートリッジを把持することによって、ＩＯＬインタフェースを制御することができる。さらに、ＩＯＬインタフェースが典型的には大きさが小さいので、手術グローブを介してＩＯＬインタフェースを手で把持することは、特にグローブを濡れている場合、困難なことがある。加えて、このことは、取扱い作業を排除し、別個の組立装置が必要とされない。更なる例として、ＩＯＬインタフェースは、ＩＯＬ挿入工具との係合のために容易に与えられ、このことは係合工程を容易にすることができる。
【図面の簡単な説明】
【００１１】
【図１】図１は、眼内レンズ手術のための例示的なシステムの分解図である。
【図２Ａ】図２Ａは、組立状態における図１のシステムの斜視図を示す。
【図２Ｂ】図２Ｂは、組立状態における図１のシステムの斜視図を示す。
【図３】図３は、眼内レンズ手術のためのシステムを使用するための例示的な工程を示すフローチャートである。
【図４】図４は、眼内レンズ手術のためのシステムを作るための例示的な工程を示すフローチャートである。
【発明を実施するための形態】
【００１２】
様々な実施例の詳細及び特徴が図面とともに以下の説明によって伝えられる。
図１は、眼内レンズ（ＩＯＬ）手術のための例示的なシステム１００を示す。システム１００は、ＩＯＬ挿入カートリッジ１１０、ＩＯＬインタフェース１２０及び取外し可能なブラケット１３０を含む。
【００１３】
ＩＯＬ挿入カートリッジ１１０は患者の眼内へのＩＯＬの挿入を容易にする。ＩＯＬ挿入カートリッジ１１０は、本体１１２と、本体の中を通る通路１１４とを含む。シリコーン、ソフトアクリル、ハイドロゲル又は他の適切な材料から作られうる折り畳み式ＩＯＬが、手術の間、眼内への挿入に備えて、通路１１４を通して移動せしめられる。
【００１４】
示されるように、通路１１４は、ＩＯＬの折り畳みを補助する非対称のボアを有する。普通のＩＯＬは、直径約６ｍｍであり、最大約１３ｍｍの支持部（haptic)を有する。しかしながら、手術の切開創は典型的にははるかに小さい（例えば幅が２〜３ｍｍ）。このため、ＩＯＬは、典型的には、切開創を通した挿入の前に折り畳まれる。また、特定の実施例では、通路１１４は、ＩＯＬの折り畳みを補助すべく、その長さに沿って（例えば円形又は楕円形のボアに向かって）先細になる。このため、ＩＯＬは、通路１１４を通して前進せしめられるにつれて、通路の形状によって折り畳まれる。通路の端部（例えば注入点）には、典型的には、比較的小さい直径の注入ノズルがあり、レンズは注入ノズルを通って眼内に前進せしめられる。
【００１５】
ＩＯＬ挿入カートリッジ１１０は、本体１１２から延在する一対の突起１１９も含む。突起１１９は概してＩＯＬインタフェース１２０の設置及び繋止を補助することができる。示された実施例では、突起１１９は一対の平行な脚であり、一対の平行な脚は、これらの間にＩＯＬインタフェースが設置されることを可能とすべく、互いから十分に離間される。このため、突起１１９はＩＯＬインタフェースの設置、整列及び繋止を補助することができる。
【００１６】
ＩＯＬ挿入カートリッジ１１０は更に側部１１６ａ、１１６ｂを含む。側部１１６ａ、１１６ｂは、ＩＯＬ挿入カートリッジ１１０、ひいてはシステム１００の（工具又は手による）把持を補助することができる。ＩＯＬ挿入カートリッジの一方の端部において、側部１１６ａ、１１６ｂは羽部１１７を形成すべく外側に向かって先細になり、羽部１１７は、下記により詳細に論じられるように、取外し可能なブラケット１３０をＩＯＬ挿入カートリッジに繋止するのに使用される。羽部１１７は戻り止め１１８を含み、戻り止め１１８は取外し可能なブラケット１３０を羽部１１７上に位置付けることを補助することができる。
【００１７】
所定の実施例では、ＩＯＬ挿入カートリッジ１１０は、ポリプロピレンのような任意の適切な熱可塑性物質から単一部材として成形される。特定の実施例では、熱可塑性物質は潤滑強化剤を含有してもよい。
【００１８】
ＩＯＬインタフェース１２０は、ＩＯＬ挿入カートリッジ１１０を通してＩＯＬを前進させるためのＩＯＬとの接合に関与する。この実施例では、ＩＯＬインタフェース１２０は、概して円筒形状を有する本体１２２と、第１端部１２４ａと、第２端部１２４ｂとを含む。第１端部１２４ａはポート１２６を含み、ＩＯＬ挿入工具がポート１２６を通して挿入されうる。ＩＯＬインタフェース１２０は、例えば、摩擦嵌合によってＩＯＬ挿入工具と係合する。第２端部１２６ａは閉じていてもよい。ＩＯＬインタフェース１２０は、市販の射出成形用のエラストマー、ポリマー（例えばポリプロピレン若しくはスチレン）又はその他の適切な材料から作られうる。特定の実施例では、ＩＯＬインタフェースは直径約２〜３ｍｍである。
【００１９】
取外し可能なブラケット１３０は、ＩＯＬ挿入カートリッジ１１０に取外し可能に取り付けられ且つＩＯＬ挿入カートリッジ１１０に対してＩＯＬインタフェース１２０を繋止するようになっている。この実施例では、取外し可能なブラケット１３０は、先端が切られた（truncated）Ｖ字形状を有する本体１３２を含む。Ｖ字形状の端部はＩＯＬ挿入カートリッジ１１０に支持面を提供すべく平らにされている。羽部１３４はＶ字形状の端部に結合される。羽部１３４はＩＯＬ挿入カートリッジ１１０の羽部１１７を受容すべく互いから離間される。羽部１３４の各々はタブ１３５を含む。タブ１３５は空洞を形成し、ＩＯＬ供給カートリッジの羽部１１７は空洞内に収まり、タブ１３５は羽部１１７に摩擦嵌合を提供するように本体１３２の平らな部分から離間される。
【００２０】
取外し可能なブラケット１３０は戻り止め１３６も含み、戻り止め１３６は使用中にＩＯＬインタフェース１２０の移動を妨げる。示された実施例では、戻り止め１３６は本体１３２の先端が切られた部分から延在し且つ突起１３７を含む。突起１３７は、ＩＯＬインタフェース１２０の端部１２４ｂと相互作用するような大きさで作られる。
【００２１】
取外し可能なフレーム１３０は、プラスチック（例えばスチレン、ポリプロピレン若しくは他の市販の射出成形用ポリマー）、金属（例えばチタン、ステンレス鋼若しくはアルミニウム）又はその他の適切な材料から構成されうる。示された実施例では、取外し可能なブラケット１３０は、幅が（すなわち本体１１２の長手方向において）約３ｍｍであり、厚みが１ｍｍである。しかしながら、取外し可能なブラケット１３０は特定の大きさで作られてもよい。例えば、取外し可能なブラケット１２０は所望の用途に応じて特定の大きさで作られてもよい。さらに、取外し可能なブラケット１３０は他の形状を有してもよい。例えば、先端が切られたＶ字形状の代わりに、取外し可能なブラケット１３０は正方形形状又は長方形形状を有してもよい。このため、取外し可能なブラケット１３０は、様々なＩＯＬカートリッジ設計と協働するように適切な大きさで作られて構成されうる。
【００２２】
図２Ａ及び図２Ｂは組立状態におけるシステム１００を示す。図２Ａにおいて最もよく示されるように、ＩＯＬ挿入カートリッジ１１０は、羽部１３４の間であり且つ本体１３２の平らな部分とタブ１３５との間に羽部１１７が挿入されることによって、取外し可能なブラケット１３０と係合された。羽部１１７は例えば摩擦嵌合によって所定の位置に保持される。加えて、ＩＯＬインタフェース１２０は、本体１３２の先端が切られた部分と、突起１１９と、本体１１２の一部との間に形成された空洞に捕捉されることによってシステム１００と係合された。ＩＯＬインタフェース１２０は摩擦嵌合によって空洞内に保持されうる。
【００２３】
図２Ｂに最もよく示されるように、ＩＯＬインタフェース１２０の端部１２４ｂは、ＩＯＬ挿入カートリッジ１１０に沿って特定の位置を超えて移動することが戻り止め１３６の突起１３７によって抑制される。このことは、ＩＯＬインタフェース１２０が、組立及び／又は使用中に、ＩＯＬ挿入カートリッジ１１０と取外し可能なブラケット１３０との間に形成された空洞を通って摺動することを防止することができる。加えて、タブ１３５は、取外し可能なブラケット１３０が本体１１２の長手方向に沿って摺動することを防止すべく戻り止め１１８に当接し、このことは、取外し可能なブラケット１３０をＩＯＬ挿入カートリッジ１１０に繋止するように据え付けることを補助することができる。
【００２４】
所定の操作モードでは、システム１００は、組み立てられ且つ殺菌された状態で、手術場所（例えば病院）に到着する。システム１００は、その後、（工具又は手によって）位置的に固定され、ＩＯＬ挿入カートリッジ１００を通してＩＯＬを前進させるのに使用される工具がＩＯＬインタフェース１２０と係合される。例えば、ＩＯＬ挿入工具がＩＯＬインタフェース１２０のポート１２６内に挿入され、挿入によって二つの部品の間に摩擦嵌合が形成される。
【００２５】
ＩＯＬ挿入工具は、例えば、外殻及びプランジャーを含むプランジャー型のシステムである。外殻は、外殻の中を通る通路を有し、プランジャーは通路内を移動するようになっており、プランジャーの移動によってＩＯＬが移動せしめられる。外殻及びプランジャーは例えば概して円筒形状を有する。プランジャーシステムは、プラスチック、金属又はその他の適切な材料から作られうる。例示的なＩＯＬ挿入工具が、郵便番号７６１３４、テキサス州フォートワース、サウスフリーウェイ６２０１のアルコンラボラトリーズ社（Alcon Laboratories Inc.）によって生産されたＭｏｎａｒｃｈ（登録商標）ハンドピースである。しかしながら、ＩＯＬ挿入工具の他のタイプが使用されてもよい。
【００２６】
挿入工具がＩＯＬインタフェース１２０に係合される間、戻り止め１３６はＩＯＬインタフェース１２０が空洞の外に前進せしめられることを防止することができる。さらに、戻り止め１３６は、システム１００からＩＯＬインタフェースを取り除くことを補助すべく、ＩＯＬインタフェース１２０にエネルギーを蓄えることを補助することができる。
【００２７】
一旦ＩＯＬ挿入工具がＩＯＬインタフェース１２０と係合されると、ＩＯＬインタフェース１２０はシステム１００から取り除かれうる。特に、ＩＯＬインタフェース１２０は、ＩＯＬ挿入カートリッジ１１０と取外し可能なブラケット１３０との間に形成された空洞から取り出されうる。取外し可能なブラケット１３０は、その後、ＩＯＬ挿入カートリッジから取り外されうる。例えば、取外し可能なブラケット１３０は、羽部１１７と羽部１３４との間の摩擦嵌合が解放されるように、ＩＯＬ挿入カートリッジ１１０の長手方向の軸線に対して摺動される。その後、取外し可能なブラケット１３０は廃棄されうる。ＩＯＬインタフェース１２０は、ＩＯＬを眼内への挿入のためにＩＯＬ挿入カートリッジ１１０を通して前進させるのに使用されうる。
【００２８】
システム１００は様々な特徴を提供する。例えば、システム１００は、ＩＯＬインタフェース１２０がＩＯＬ挿入カートリッジ１１０と同一の場所に配設されることを可能とする。ＩＯＬインタフェース１２０の大きさが小さいので、ＩＯＬ挿入カートリッジ１１０と同一の場所に配設されることは、ＩＯＬインタフェース１２０がなくなるのを防止することを支援することができる。別の例として、システム１００は、ＩＯＬインタフェース１２０が、安定した態様で、ＩＯＬ挿入カートリッジ１１０に対して位置付けられることを可能とする。このため、典型的にはＩＯＬインタフェース１２０よりもかなり大きく、ひいては（手又は工具によって）把持しやすいＩＯＬ挿入カートリッジ１１０を把持することによって、ＩＯＬインタフェース１２０を制御することができる。
【００２９】
さらに、ＩＯＬインタフェース１２０がいくつかの例では大きさが小さいので、ＩＯＬインタフェース１２０を手で把持することは、特に手術用グローブを着用している間、困難なことがある。この困難は、グローブが濡れている場合、更に悪化しうる。
【００３０】
加えて、ＩＯＬインタフェース１２０をＩＯＬ挿入カートリッジ１１０と同一場所に配設することは取扱い作業を排除し、ＩＯＬインタフェース１２０を取り扱うための別個の組立装置が必要とされない。更なる例として、ＩＯＬインタフェース１２０は、ＩＯＬ挿入工具との係合のために容易に与えられ、このことは係合工程を容易にすることができる。さらに、この提供は極めて直感的であり、このことは精神的な負担を軽減することができる。別の例として、取外し可能なブラケット１３０は、一旦ＩＯＬインタフェース１２０がシステム１００から取り除かれると、ＩＯＬ挿入カートリッジ１１０から容易に取り外される。さらに、ＩＯＬインタフェース１２０は、梱包スペースを比較的小さい量だけ増大しつつ、実装されることができる。さらに、追加の梱包は必要とされない。
【００３１】
図１及び図２がＩＯＬ手術システム１００の例示的な一つの実施例を示すが、他の実施例が、より少ない、追加の、及び／又は異なる部品の構成を含んでもよい。いくつかの実施例では、例えば、ＩＯＬ挿入カートリッジ１１０は羽部１１７を含まなくてもよい。このため、いくつかの実施例では、取外し可能なブラケット１３０は、異なる技術によってＩＯＬ挿入カートリッジ１１０と係合してもよい。例えば、取外し可能なブラケット１３０はＩＯＬ挿入カートリッジ１１０の側部及び／又は頂部及び／又は底部と係合してもよい。
【００３２】
加えて、いくつかの例では、通路１１４は他の形態を有してもよい。例えば、いくつかの実施例では、通路１１４は、円形形状、楕円形状、又は他の所望の若しくは適切な断面形状を有してもよい。また、いくつかの実施例では、ＩＯＬ挿入カートリッジ１１０は突起１１９を含まなくてもよい。このため、ＩＯＬインタフェース１２０は他の態様ではシステム１００に繋止されてもよい。例えば、ＩＯＬインタフェース１２０が配置される空洞が本体１１２と本体１３２との間に形成されてもよい。特定の実施例では、ＩＯＬインタフェース１２０は主に取外し可能なブラケット１３０と係合されてもよい。
【００３３】
図３は、ＩＯＬ手術のためのシステムを使用するための例示的な工程３００を示す。例えば、工程３００は、例えば、システム１００と同様のシステムを使用して行われる。
【００３４】
工程３００は、ＩＯＬ挿入カートリッジと、ＩＯＬインタフェースと、ＩＯＬ挿入カートリッジに対してＩＯＬインタフェースを安定に保持する取外し可能なブラケットとを含む組立体を位置的に固定することを要請する（操作３０４）。例えば、いくつかの例では、組立体は（例えば工具又は手による）把持によって位置的に固定される。
【００３５】
工程３００は、ＩＯＬ挿入工具をＩＯＬインタフェースと係合させることも要請する（操作３０８）。例えば、ＩＯＬ挿入工具はＩＯＬインタフェースの一部の中に挿入され、挿入によって摩擦嵌合が二つの部品間に形成される。
【００３６】
加えて、工程３００は、ＩＯＬインタフェースを組立体から取り除くことを要請する（操作３１２）。例えば、ＩＯＬインタフェースは、ＩＯＬ挿入カートリッジと取外し可能なブラケットとの間に形成された空洞から取り出される。
【００３７】
工程３００は、取外し可能なブラケットをＩＯＬ挿入カートリッジから取り外すことを更に要請する（操作３１６）。例えば、取外し可能なブラケットは、二つの部品間の摩擦嵌合が解放されるように、ＩＯＬ挿入カートリッジに対して摺動される。いくつかの例では、解放された取外し可能なブラケットは廃棄される。
【００３８】
工程３００がＩＯＬ手術のためのシステムを使用するための工程の一つの例を示すが、ＩＯＬ手術システムを使用するための他の工程が、より少ない、追加の、及び／又は異なる操作の構成を含んでもよい。例えば、工程は、取外し可能なブラケットを取り外すことを含まなくてもよい。更なる例として、工程は、ＩＯＬをＩＯＬ挿入カートリッジを通して前進させるべくＩＯＬインタフェースを使用することを含んでもよい。追加の例として、工程は、ＩＯＬインタフェースを取り除くためのエネルギーを蓄えるべく、ＩＯＬインタフェースを戻り止めに対して前進させることを含んでもよい。
【００３９】
図４は、ＩＯＬ手術のためのシステムを作るための例示的な工程４００を示す。いくつかの例では、工程４００はシステム１００と同様のシステムを形成するのに使用される。
【００４０】
工程４０４は、ＩＯＬインタフェースと係合するようになっているブラケットを位置的に固定することを要請する（操作４０４）。ブラケットは例えば工具又は手作業によって固定される。
【００４１】
工程４００は、ＩＯＬ挿入カートリッジをブラケットに取外し可能に取り付けることも要請する（操作４０８）。例えば、取外し可能な取付は摩擦嵌合である。
【００４２】
工程４００はＩＯＬインタフェースをブラケットと係合させることを更に要請する（操作４１２）。例えば、いくつかの例では、ＩＯＬインタフェースは、ブラケットと付属のＩＯＬ挿入カートリッジとの間に形成された空洞内に挿入されることによってブラケットと係合される。ＩＯＬインタフェースは摩擦嵌合によって空洞内に保持される。
【００４３】
工程４００がＩＯＬ手術のためのシステムを作るための工程の一つの例を示すが、ＩＯＬ手術システムを作るための他の工程が、より少ない、追加の、及び／又は異なる操作の構成を含んでもよい。所定の実施例では、例えば、工程は、ＩＯＬ挿入カートリッジを位置的に固定することと、ブラケットをＩＯＬ挿入カートリッジに取外し可能に取り付けることとを含んでもよい。加えて、いくつかの実施例では、ＩＯＬインタフェースはブラケットがＩＯＬ挿入カートリッジと係合される前にブラケットと係合される。殺菌又は梱包のような他の操作が特定の実施例において行われてもよい。
【００４４】
本明細書において論じられ且つ言及された様々な実施例は、単なる例証目的で使用されてきた。実施例は、本開示の原理及び実施用途を説明し、且つ、考えられる特定の使用に適した様々な修正を有する様々な実施例について当業者が本開示を理解することができるように選択され且つ記載された。このため、部品の実際の物理的形態は変化してもよい。例えば、部品の言及された大きさ及び部品の互いに対する示された大きさは用途に基づいて変化してもよい。さらに、一つ以上の部品の形状が用途に応じて変化してもよい。このため、説明のための実施例は、部品の物理的な大きさ、形状及び関係のみを定義するものとして解釈されるべきではない。
【００４５】
本明細書において使用される専門用語は、特定の実施例のみを記載する目的で使用され、限定することは意図されていない。本明細書において使用されるような単数形「一つの（a）」、「一つの（an）」及び「その（the）」は、文脈が明確に反対のことを示さない限り、複数形も含むことが意図されている。さらに、用語「具備する」及び／又は「具備している」は、本明細書において使用されるとき、述べられた特徴、整数、ステップ、操作、要素及び／又は部品の存在を特定するが、一つ以上の他の特徴、整数、ステップ、操作、要素、部品及び／又はひいては群の存在又は付加を排除しないことが理解されるだろう。
【００４６】
以下の請求項における対応する構造、材料、行為、及び全ての機能プラス手段又はステップの要素の均等物が、具体的に請求された他の請求項の要素と組み合わせて機能を行うための任意の構造、材料又は行為を含むことが意図されている。本実施例の説明が、例証及び説明の目的で与えられてきたが、開示された形態における実施例に限定されることは意図されていない。本開示の範囲及び精神から逸脱することなく、多くの修正及び変更が当業者に明らかであるだろう。
【００４７】
多数の実施例がＩＯＬ手術システム及びＩＯＬ手術方法について記載され、いくつかの他の実施例が言及され又は示唆されてきた。さらに、当業者は、様々な付加、削除、修正及び置換が、それでもなおＩＯＬ手術システム及びＩＯＬ手術方法を提供しつつ、これら実施例になされうることに容易に気付くであろう。このため、保護される対象の範囲は、一つ以上の実施例の一つ以上の概念を含みうる以下の請求項に基づいて判断されるべきである。
【図１】
2014531287.tif 000003
【図２Ａ】
2014531287.tif 000004
【図２Ｂ】
2014531287.tif 000005
【図３】
2014531287.tif 000006
【図４】
2014531287.tif 000007
【国際調査報告】
2014531287.tif 000008